(57)【要約】【課題】装着者が見えないところで、指の感触だけで嵌め合う部品同士を正しく整列させられ、差し込む動作だけで簡単に装着することができる装身具用留め具を提供する。【解決手段】本体部品２と本体部品２に対して差込動作によって嵌着し解除動作によって離脱する差込部品３とからなり、差込部品３は、内側に係合部３ｂを有する筒状の差込部３ａを有し、本体部品２は、差込部品の差込部３ａを内側に遊嵌する筒状の受け部２ａと、差込部品の差込部３ａの内側に挿入して係合部３ｂと着脱可能に係合する係合部材５とを有し、差込部品３または本体部品２は、差込部品の係合部３ｂと本体部品の係合部材５の係合を解除する係合解除部材４を有する。【選択図】図２
2007301236.tif 000002
【特許請求の範囲】
【請求項１】
本体部品と前記本体部品に対して差込動作によって嵌着し解除動作によって離脱する差込部品とからなる装身具用留め具であって、
前記差込部品は、内側に係合部を有する筒状の差込部を有し、
前記本体部品は、前記差込部品の差込部を内側に遊嵌する筒状の受け部と、前記差込部品の差込部の内側に挿入して前記差込部の係合部と着脱可能に係合する係合部材とを有し、
前記差込部品または前記本体部品は、前記差込部品の係合部と前記本体部品の係合部材の係合を解除する係合解除部材を有する、ことを特徴とする装身具用留め具。
【請求項２】
前記差込部品の差込部は、横断面が中空矩形または中空円形の筒形形状を有し、
前記本体部品の受け部は、前記差込部品の差込部を内側に遊嵌する対応の筒形形状を有していることを特徴とする請求項１記載の装身具用留め具。
【請求項３】
前記差込部品は、本体部と差込部が断面が同じ大きさの一つの筒からなり、
前記差込部の係合部は、前記差込部の差込端の周壁から内側に延在する開口部を有する端壁からなり、
前記本体部品の係合部材は、前記本体部品の内部に取り付けられ、Ｕ字状またはコ字状に折り返されることによって弾性を有するバネ部を有し、前記係合部材は前記差込部品が前記本体部品に差し込まれたときに前記差込部品の係合部と係合する逆鉤を有する係合端を有し、
前記係合解除部材は、前記本体部品の周壁の外側に突出して内押しすることによって前記係合部材の係合端と前記差込部品の係合部の係合を解除する前記係合部材と一体に形成された操作部を有していることを特徴とする請求項１または２に記載の装身具用留め具。
【請求項４】
前記差込部品は、本体部と差込部が断面が同じ大きさの一つの筒からなり、
前記差込部の係合部は、前記差込部の差込端の周壁から内側に延在する開口部を有する端壁からなり、
前記本体部品の係合部材は、前記本体部品の内部に取り付けられ、Ｕ字状またはコ字状に折り返されることによって弾性を有する平面対称形状のバネ部を有し、前記係合部材は前記差込部品が前記本体部品に差し込まれたときに前記差込部品の係合部と係合する逆鉤を有する一対の係合端を有し、
前記係合解除部材は、前記本体部品の周壁の外側に突出して内押しすることによって前記係合部材の係合端と前記差込部品の係合部の係合を解除する前記係合部材と一体に形成された一対の操作部を有していることを特徴とする請求項１または２に記載の装身具用留め具。
【請求項５】
前記差込部材の開口部を有する端壁は、前記係合部材の係合端を係合に案内する傾斜案内面を有し、
前記係合部材の逆鉤は、前記差込部材の開口部を有する端壁の傾斜案内面の傾斜角に対応する脱落防止の傾斜角を有していることを特徴とする請求項１〜４のいずれかに記載の装身具用留め具。
【請求項６】
前記本体部品の係合部材は、係合端に段差または溝または逆鉤を有し、
前記差込部品の係合部は、該差込部品が前記本体部品に差し込まれたときに弾発的に前記係合部材の係合端と係合するように前記差込部品に設けられ、前記係合解除部材は、前記差込部品の係合部と一体的に設けられ、前記差込部品の周壁の外側に突出し、内押しすることによって前記係合部と前記係合部材の係合端の係合を解除する操作部を有していることを特徴とする請求項１または２に記載の装身具用留め具。
【請求項７】
前記差込部品の差込端の反対側の端部に、中空部と貫通孔を有する外殻部材と、前記外殻部材の中空部に設けられた貫通孔を有するシリコーンゴムを含む弾性体とを備えた環状装身具の長さ調整機能部材を、一体的に形成したことを特徴とする請求項１〜６のいずれかに記載の装身具用留め具。
【発明の詳細な説明】
【技術分野】
【０００１】
本発明は、装身具の留め具に関する。
【０００２】
特に、装身具の留め具の互いに嵌め合う部品を同一形状とすることにより位置を整合させることを容易にし、且つ、差し込む動作だけで簡単に嵌着することができ、さらに、係合部材が外筒によって保護されて損傷を防止することができる丈夫な装身具用留め具に関する。
【背景技術】
【０００３】
一般に、装身具の留め具は小さく、装着者が見えないところで装着者の指の感触によって位置を確かめて着脱される。
【０００４】
装身具の留め具は、差し込む動作によって互いに嵌め合うものと、ねじ込む動作によって嵌め合うものとがある。
【０００５】
装飾品のチェーンなどを留めるもっとも広く使われている留め具に、二つのリング状の部品を互いに垂直に交差させて保持し、一方のリング状部品に備えられている引き手を引いてそのリングの一部を開放し、そこに他のリング状部品を差し込んで嵌着させるものがある。
【０００６】
しかし、小さなリング状部品を互いに垂直に交差させて保持すること自体困難であり、その上、装着者が見えないところで一方のリング状部品の引き手を引き、小さな開口部に他のリング状部品を差し込んで装着させる操作は大きな困難を伴う。
【０００７】
また、相対的に回転可能な二つの筒状の部品からなり、一方の部品には雄ネジが切られ、他方の部品には雌ネジが切られ、これらの部品を突きあわせた状態で一方他方に対して回転させてねじ込む装身具用留め具も広く使用されている。
【０００８】
上記装身具用留め具においても、装着者が見えないところで、小さな筒状部品を突きあわせた状態で保持し、一方の筒状部品に対して他方の筒状部品を回転させながらねじ込むことは大きな困難を伴う。
【０００９】
上述したような装着動作の困難さに鑑み、一方の部品を他方の部品に差し込むだけで嵌着できる装身具用留め具が種々提案されている。
【特許文献１】特開平１０−1２７３２１号公報
【特許文献２】特開平１０−１３７０１６号公報
【特許文献３】特開２００５−２３０４６２号公報
【発明の開示】
【発明が解決しようとする課題】
【００１０】
しかし、上記差し込む動作だけで嵌着することができる装身具用留め具を構成する部品は、一方が差し込む側の差込部品をなし、他方がそれを受ける本体部品をなし、両者は通常形状が異なる。
【００１１】
多くの場合、差込部品は、特開２００５−２３０４６２号公報等のように、尖端部を有し、これに対して本体部品は前記差込部品の尖端部を受け入れる穴を有し、両者は異なる形状を有している。
【００１２】
装着者が見えないところでは、上記本体部品の穴は装着者の指の感触だけで確認することは困難であり、せっかく差込動作だけで装着できる留め具であっても、正しく差込部品と本体部品の整列（位置整合）させることが困難であるため、依然として嵌着させることは困難であった。
【００１３】
装着の困難さの一因は、差込部品と本体部品が異なる形状を有していることにある。
【００１４】
すなわち、本体部品に対して差込部品の正しく差し込むためには、両部品を正しく整列させた状態に保持する必要があるが、形状が異なる場合、装着者の指先の感覚で二つの部品の姿勢を確かめることは困難であり、このことが装身具用留め具の装着を困難にしていた。
【００１５】
そこで、本発明が解決しようとする一つの課題は、装着者が見えないところで、装着者の指の感触だけで嵌め合う部品の姿勢を確認でき、簡単に嵌め合う部品同士を正しく整列させ、且つ、差し込む動作だけで装着することができる装身具用留め具を提供することにある。
【００１６】
次に、従来の差し込む動作だけで嵌着することができる装身具用留め具は、差し込む側の差込部品に突出した尖端部が設けられ、該尖端部を受け入れる本体部品に嵌着されていない状態では危険であった。また、該尖端部は外力によって曲がって損傷を受ける可能性が高かった。
【００１７】
そこで、本発明が解決しようとするもう一つの課題は、差し込む動作だけで嵌着することができる装身具用留め具において、尖端状の差込部材が外筒によって覆われ、安全であり、かつ、外力によって損傷を受けることを防止することができる装身具用留め具を提供することにある。
【課題を解決するための手段】
【００１８】
本発明に係る装身具用留め具は、
本体部品と前記本体部品に対して差込動作によって嵌着し解除動作によって離脱する差込部品とからなる装身具用留め具であって、
前記差込部品は、内側に係合部を有する筒状の差込部を有し、
前記本体部品は、前記差込部品の差込部を内側に遊嵌する筒状の受け部と、前記差込部品の差込部の内側に挿入して前記差込部の係合部と着脱可能に係合する係合部材とを有し、
前記差込部品または前記本体部品は、前記差込部品の係合部と前記本体部品の係合部材の係合を解除する係合解除部材を有する、ことを特徴とする。
【００１９】
前記差込部品の差込部は、横断面が中空矩形または中空円形の筒形形状を有し、
前記本体部品の受け部は、前記差込部品の差込部を内側に遊嵌する対応の筒形形状を有しているようにすることができる。
【００２０】
前記差込部品は、本体部と差込部が断面が同じ大きさの一つの筒からなり、
前記差込部の係合部は、前記差込部の差込端の周壁から内側に延在する開口部を有する端壁からなり、
前記本体部品の係合部材は、前記本体部品の内部に取り付けられ、Ｕ字状またはコ字状に折り返されることによって弾性を有するバネ部を有し、前記係合部材は前記差込部品が前記本体部品に差し込まれたときに前記差込部品の係合部と係合する逆鉤を有する係合端を有し、
前記係合解除部材は、前記本体部品の周壁の外側に突出して内押しすることによって前記係合部材の係合端と前記差込部品の係合部の係合を解除する前記係合部材と一体に形成された操作部を有しているようにすることができる。
【００２１】
前記差込部品は、本体部と差込部が断面が同じ大きさの一つの筒からなり、
前記差込部の係合部は、前記差込部の差込端の周壁から内側に延在する開口部を有する端壁からなり、
前記本体部品の係合部材は、前記本体部品の内部に取り付けられ、Ｕ字状またはコ字状に折り返されることによって弾性を有する平面対称形状のバネ部を有し、前記係合部材は前記差込部品が前記本体部品に差し込まれたときに前記差込部品の係合部と係合する逆鉤を有する一対の係合端を有し、
前記係合解除部材は、前記本体部品の周壁の外側に突出して内押しすることによって前記係合部材の係合端と前記差込部品の係合部の係合を解除する前記係合部材と一体に形成された一対の操作部を有しているようにすることができる。
【００２２】
前記差込部材の開口部を有する端壁は、前記係合部材の係合端を係合に案内する傾斜案内面を有し、
前記係合部材の逆鉤は、前記差込部材の開口部を有する端壁の傾斜案内面の傾斜角に対応する脱落防止の傾斜角を有していることが好ましい。
【００２３】
前記本体部品の係合部材は、係合端に段差または溝または逆鉤を有し、
前記差込部品の係合部は、該差込部品が前記本体部品に差し込まれたときに弾発的に前記係合部材の係合端と係合するように前記差込部品に設けられ、前記係合解除部材は、前記差込部品の係合部と一体的に設けられ、前記差込部品の周壁の外側に突出し、内押しすることによって前記係合部と前記係合部材の係合端の係合を解除する操作部を有しているようにすることができる。
【００２４】
前記差込部品の差込端の反対側の端部に、中空部と貫通孔を有する外殻部材と、前記外殻部材の中空部に設けられた貫通孔を有するシリコーンゴムを含む弾性体とを備えた環状装身具の長さ調整機能部材を、一体的に形成するようにすることができる。
【発明の効果】
【００２５】
本発明による装身具用留め具は、差込部品の差込部が筒状形状を有し、本体部品の受け部が前記差込部品の差込部を内側に遊嵌する筒状形状を有している。
【００２６】
すなわち、本発明による装身具用留め具の差込部品の差込部と本体部品の受け部は、同じ筒形形状を有している。
【００２７】
これにより、装着者は見えない状態でも指先の感覚で差込部品の差込部と本体部品の受け部の筒形形状を一直線に配置することにより、両部品を互いに突き合わせた状態に整列させることができる。
【００２８】
また、本発明は、本体部品に、差込部品の差込部の内側に進入して差込部の係合部と係合する係合部材が備えられている。
【００２９】
上述したように差込部品と本体部品の筒形形状を一直線上に配置し突き合わせた状態に整列させ、差込部品の差込部を本体部品の受け部に向けて差し込むと、本体部品の係合部材が差込部品の差込部の内側に進入し、差込部品の差込部の係合部と弾発的に係合する。すなわち、本発明の留め具は、差し込む動作のみによって、差込部品と本体部品を嵌着させることができる。
【００３０】
このように、本発明によれば、装着者が見えない状態でも装着者の指先の感覚で差込部品と本体部品を互いに突き合わせた状態に整列させることができ、その状態で差込部品を本体部品に差し込む動作のみにより、本体部品の係合部材が差込部品の差込部の内側に進入して係合部と弾発的に係合することができる。
【００３１】
本発明によれば、装着者が見えない状態でも、簡単に嵌着させることができる装身具用留め具を実現することができる。
【００３２】
さらに、本発明による装身具用留め具は、本体部品の内側に前記係合部材が設けられている。つまり、係合部材は本体部品の受け部の筒に内包されている。
【００３３】
これにより、係合部材が露出せず、安全であり、且つ、外力による損傷を防止することができる。
【発明を実施するための最良の形態】
【００３４】
以下、添付図面を参照して、本発明の実施形態を説明する。
【００３５】
図１は、本発明の一実施形態による装身具用留め具の全体を示す斜視図である。図２は、図１の上部を切断し、図１に示す矢印Ａ−Ａ方向に見た斜視図である。
【００３６】
図１，２に示すように、本実施形態の装身具用留め具１は、円筒形状の本体部品２と、本体部品２に対して差込動作と解除動作によって着脱する円筒形状の差込部品３とからなる。
【００３７】
図２においては、本体部品２と差込部品３が、係合していない状態が示されている。
【００３８】
本体部品２の内部には、係合解除部材４が一体に形成された係合部材５が装着されている。係合部材５は、図１に一部示され、図２に全体が示されている。
【００３９】
差込部品３の一端には、装身具（たとえばチェーン等）を挿通させるリング６が溶着されている。
【００４０】
差込部品３は、本実施形態では同一の径の円筒形状を有しているが、径は同一でなくてもよく、形状も全体が円筒形状でなくてもよい。ただし、差込部品３の差込端部側（リング６が取り付けられている側の反対側）は、筒状の差込部３ａになっている（本実施形態では円筒形状になっているが円筒に限られない）。
【００４１】
これに対して、差込部品３と相対する本体部品２の端部は、差込部品３の差込部３ａを内側に遊嵌する筒状の受け部２ａになっている。
【００４２】
本実施形態では、本体部品２は、受け部２ａがやや大径の円筒形状、それ以外の部分はやや小径の円筒形状を有しているが、径は均一でもよく、形状も全体が円筒形状でなくてもよい。ただし、本実施形態のように、受け部２ａ以外の部分が受け部２ａより小径の円筒形状を有している場合は、本体部品２に差込部品３を差し込んだときに、本体部品２の小径部分の端部が差込部品３の端部と当接してそれ以上挿入されることを防止し、差込方向の位置決めを好適に行うことができる。
【００４３】
本実施形態では、差込部品３の差込部３aの差込端は、周壁から内側に延在する円環部３ｂになっている。円環部３ｂは、「差込部品３の内側に形成された係合部」の一実施態様であり、「開口部を有する端壁」の一態様である。「差込部品３の内側に形成された係合部」は、上記円環部に限られず、係合部材の係合端と係合する任意の公知の形状・構造のもの、例えば、差込部品の内側に段差や突起を設けるようにしてもよい。
【００４４】
なお、本実施形態の円環部３ｂは、中心に近い部分ほど内側に窪む傾斜を有し、傾斜案内面となっている。
【００４５】
係合部材５は、Ｕ字状に湾曲して折り返されることによって弾性を有するバネ部５ａを有している。なお、折り返しはほぼ直角に２回折り返されたコ字状であってもよい。
【００４６】
係合部材５のＵ字状に折り返された一方の脚は、本体部品２の内壁に弾発的に付勢されている。
【００４７】
係合部材５のＵ字状に折り返された他方の脚は、途中で蛇行して本体部品２の周壁に設けられたスリットから周壁の外側に突出し、再び本体部品２の内側に戻って差込部品３に向かって延び、末端は差込部品３の係合部（円環部３ｂ）と係合する係合端５ｂとなっている。
【００４８】
前記蛇行して本体部品２の周壁の外側に突出した部分は、係合部材５と一体に形成された係合解除部材４である。なお、係合解除部材４は、係合部材５と別個の部材によって形成されることができる。
【００４９】
本実施形態の係合端５ｂは、先端が差込部品３の円環部３ｂの内側に挿入しやすいように傾斜面を有するとともに、差込部品３が本体部品２に完全に差し込まれたときに差込部品３の円環部３ｂと係合して脱落を防止する逆鉤５ｃを有している。
【００５０】
符号５ｄは、係合部材５の過度の撓みを防止する撓み防止用突起を示している。
【００５１】
差込時の本体部品２と差込部品３の係合は次のようにして行われる。
【００５２】
差込部品３の差込部３ａを本体部品２の受け部２ａと突き合わせ状態に整列させ、差込部品３を本体部品２に向けて差し込むと、差込部品３の差込部３ａが本体部品２の受け部２ａの内側に入り込み、円環部３ｂの内側開口部の一部と係合部材５の係合端５ｂの傾斜面が接触する。
【００５３】
さらに差込部品３を本体部品２に向けて差し込むと、係合部材５の係合端５ｂの傾斜面に案内されて、係合部材５の係合端５ｂがバネ部５ａの弾力に逆らって撓みつつ差込部品３の内側に進入する。このとき、円環部３ｂの内側に窪んだ傾斜面は、傾斜案内面として機能し、係合部材５の係合端５ｂの進入をさらに容易にする。
【００５４】
係合部材５の係合端５ｂが円環部３ｂの内側開口部よりも内側に入ると、係合部材５の係合端５ｂはバネ部５ａの弾力によって弾発的に戻り、逆鉤５ｃが円環部３ｂの内側面と係合し、離脱を防止する。
【００５５】
係合部材５の係合端５ｂの進入時には傾斜案内面として機能していた円環部３ｂの内側に窪んだ傾斜面は、係合状態においては係合部材５の逆鉤５ｃと確実に係合し、脱落を防止することができる。逆鉤５ｃの傾斜角と円環部３ｂの傾斜案内面の傾斜角は好ましくは同じである。
【００５６】
係合解除時の本体部品２と差込部品３の係合解除は次のようにして行われる。
【００５７】
本体部品２と差込部品３が係合した状態で、係合解除部材４を内押しすることにより、係合部材５の係合端５ｂはバネ部５ａの弾力に逆らって差込部品３の半径方向内側に向かって移動する。これにより、係合端５ｂの逆鉤５ｃと円環部３ｂの係合が解かれ、本体部品２と差込部品３を離脱させることができる。
【００５８】
このように、本発明によれば、差込部品３の差込部３ａと本体部品２の受け部２ａが同じ筒状形状を有し、装着者は見えない状態で指の感触によって差込部品３の差込部３ａと本体部品２の受け部２ａを整列させることができる。さらに、差込部品３の差込部３ａと本体部品２の受け部２ａを整列させた状態で、本体部品２に向けて差込部品３を差し込むことにより、本体部品２に装着された係合部材５の係合端５ｂが差込部品３の差込部３ａの内側に進入し、差込部品３の円環部３ｂと係合する。このように、本体部品２と差込部品３の係合は、差込動作のみによって簡単に完了する。
【００５９】
本体部品２と差込部品３の係合を解除するときは、係合解除部材４の突起を内押しすることにより、簡単に係合部材５と差込部品３の係合を解除することができる。
【００６０】
また、係合部材５の構造の説明から明らかなように、本発明によれば、係合部材５の係合端５ｂが本体部品２の受け部２ａの筒に内包されている。
【００６１】
これにより、本発明の係合部材５の係合端５ｂは、尖端部が外部に露出することなく安全であり、且つ、外力によって損傷を受けることを防止することができる。
【００６２】
係合部材の係合端は、逆鉤の代わりに、段差あるいは溝を有するようにしてもよい。
【００６３】
図１，２に示した実施形態のように、係合部材５がＵ字状に折り返されたバネ部５ａを有し、該バネ部５ａが本体部品２の一端から突出するようにすることにより、該突出したＵ字状の折り返し部はチェーンなどの装身具を挿通させるリングとして利用でき、部品点数を減らして、構造簡単な装身具用留め具を得ることができる。
【００６４】
図１，２に示した実施形態では、本体部品と差込部品は、それぞれ円筒形状、すなわち横断面が中空円形の筒形形状を有していたが、図３に示すように、角筒形状、すなわち横断面が中空矩形の筒形形状にすることができる。
【００６５】
図３に示した実施形態においては、本体部品１０と差込部品１１が角筒形状を有している他は、図２に示した装身具用留め具１と変わらない。図３において、図２と同一の部分には図２と同一の符号を付して重複する説明を省略する。
【００６６】
図３に示すような、本体部品と差込部品とを角筒形状とすることにより、係合部材５が板部材からなるため、部材の充填効率が高く、全体的にコンパクトな装身具用留め具を得ることができる。
【００６７】
図４に他の実施形態による係合部材を示す。
【００６８】
図４において、装身具用留め具１２は、本体部品１３と差込部品１４とを有している。図４は、本体部品１３と差込部品１４が互いに嵌着している状態を示している。
【００６９】
差込部品１４は、横断面が同一の中空矩形をなす角筒形状を有している。差込部品１４の本体部品１３側に差込部１４ａを有している。
【００７０】
差込部品１４の本体部品１３側の端部は、周壁から内側に向かって延在する開口部を有する端壁１４ｂを有している。
【００７１】
本体部品１３は、前記差込部品１４の差込部１４ａを内側に遊嵌する角筒状の受け部１３ａを有している。
【００７２】
本体部品１３には係合部材１５が装着されている。係合部材１５は、Ｕ字状またはコ字状に折り返されることによって弾性を有する平面対称形状のバネ部１５ａを有している。
【００７３】
なお、本実施形態においては、バネ部１５ａは、弾力を増すために逆方向の円弧部を有しているが、これらのバネ部１５ａの形状の変化も本発明の「Ｕ字状またはコ字状に折り返された平面対称形状のバネ部１５ａ」に含める。
【００７４】
バネ部１５ａの両側の脚は、本体部品１３の内壁に付勢され、途中で蛇行して本体部品１３の周壁に設けられたスリットから周壁の外側に突出し、再び本体部品１３の内側に戻って差込部品１４に向かって延び、末端は差込部品１４の係合部（開口部を有する端壁１４ｂ）と係合する一対の係合端１５ｂ，１５ｂ’となっている。
【００７５】
前記蛇行して本体部品１３の周壁の外側に突出した部分は、係合部材１５と一体に形成された係合解除部材１６，１６’である。係合解除部材１６，１６’は、係合部材１５と別個の部材によって形成されることができる。
【００７６】
係合端１５ｂ，１５ｂ’は、先端が差込部品１４の開口部を有する端壁１４ｂの内側に挿入しやすいように傾斜面を有している。係合端１５ｂ，１５ｂ’は、差込部品１４が本体部品１３に完全に差し込まれたときに差込部品１４の開口部を有する端壁１４ｂと係合して脱落を防止する逆鉤１５ｃ，１５ｃ’を有している。
【００７７】
符号１５ｄ，１５ｄ’は、係合部材１５の過度の撓みを防止する撓み防止用突起を示している。
【００７８】
装身具用留め具１２においては、係合解除部材１６，１６’が対向するに本体部品１３の両側面から突出しているため、内押しする力が無駄なく係合部材１５に伝えられ、操作しやすく、容易に係合を解除することができる装身具用留め具を得ることができる。
【００７９】
以上の実施形態は、係合解除部材が本体部品側に設けられているが、係合解除部材は差込部品側に設けることができる。
【００８０】
図５，６は、係合解除部材が差込部品側に設けられている実施形態を示している。  
図５は、縦断面を示しており、図６は、一部を切断した斜視図を示している。
【００８１】
本実施形態の装身具用留め具１８は、本体部品１９と差込部品２０とを有している。
【００８２】
差込部品２０は、本体部品１９に差し込む円筒形状の差込部２０ａを有している。
【００８３】
差込部２０ａの反対側の差込部品２０の端部には、装身具を挿通させるリング２１が溶着されている。
【００８４】
差込部品２０の差込部２０ａに対向する本体部品１９の端部は、前記差込部２０ａを内側に遊嵌する円筒状の受け部１９ａを有している。
【００８５】
本体部品１９の内部には係合部材２２が装着されている。  
係合部材２２は、Ｕ字状またはコ字状に折り返されることによって弾性を有するバネ部２２ａを有している。
【００８６】
バネ部２２ａの一方の脚は、バネ部２２ａの弾力によって本体部品１９の内壁に付勢されている。
【００８７】
バネ部２２ａの他方の脚は、途中までバネ部２２ａの弾力によって本体部品１９の内壁に付勢され、途中から本体部品１９の中心部に向かって湾曲し、再び本体部品１９の軸と平行に差込部品２０に向かって延び、その端部は、差込部品２０の係合部と係合する係合端２２ｂとなっている。
【００８８】
係合端２２ｂは、差込部品２０の係合部と係合しやすいように傾斜角を有し、係合後の脱落を防止する逆鉤２２ｃを有している。
【００８９】
差込部品２０は、該差込部品２０が本体部品１９に差し込まれたときに弾発的に係合部材２２の係合端２２ｂと係合する係合部２３を有している。
【００９０】
係合部２３は、弾発的に係合部材２２の係合端２２ｂと係合するために、本実施形態においては、差込部品２０の円筒端部に一対のスリットを刻設し、その一対のスリットの間の周壁部分をアームとし、そのアームの先端に係合部材２２の係合端２２ｂと係合するフレーム部材を接続した構造を有している。
【００９１】
係合解除部材２４は、係合部２３のアームの基端部に取り付けられ、これを内押しすることによって係合部２３のアームが撓んで先端のフレーム部材が差込部品２０の中心部に向かって移動するように構成されている。
【００９２】
係合解除部材２４は、差込部品２０を本体部品１９に差し込んだときに、本体部品１９の受け部１９ａの外側に位置し、好ましくは、本体部品１９の受け部１９ａの端面と当接してそれ以上の差込部品２０の差し込みを防止し、差し込み方向の位置決めを好適に行う。
【００９３】
本実施形態における差込時の本体部品２と差込部品３の係合は次のようにして行われる。
【００９４】
最初に、差込部品２０と本体部品１９を円筒が一直線になるように互いに突き合わせ状態に保持し、差込部品２０を本体部品１９に向かって差し込むようにする。
【００９５】
これにより、差込部品２０の差込部２０ａが本体部品１９の受け部１９ａの内側に進入し、係合部２３のフレームの下側内縁部が係合部材２２の係合端２２ｂの傾斜面と当接する。
【００９６】
さらに差込部品２０の差込部２０ａが本体部品１９の受け部１９ａの内側に進入すると、係合部２３のアーム部が撓んでフレーム部が差込部品２０の内側に向かって移動するとともに、係合部材２２の係合端２２ｂがその傾斜面に案内されて図５における上方に向かって撓む。
【００９７】
差込部品２０の差込部２０ａが本体部品１９の受け部１９ａの内側に完全に進入すると、係合部２３のフレームの下側内縁部が係合部材２２の係合端２２ｂの傾斜面を乗り越え、弾発的に係合部材２２の係合端２２ｂと係合し、係合した後は逆鉤２２ｃが係合部材２２の脱落を防止する。
【００９８】
このように、本実施形態においても、本体部品１９の受け部１９ａと差込部品２０の差込部２０ａが同じ円筒形状を有し、装着者が見えない状態でも指先の感覚によって本体部品１９と差込部品２０を突き合わせ状態に保持することができ、その状態で本体部品１９に向かって差込部品２０を差し込むことだけで、差込部品２０の係合部２３は本体部品１９の係合部材２２と係合することができる。
【００９９】
なお、本実施形態においては、差込部品２０の係合部２３は、弾性アームとフレームとからなるが、弾性的に係合部２３と係合することができる当業者が任意の公知の構造とすることができる。
【０１００】
係合解除時の本体部品１９と差込部品２０の係合解除は次のようにして行われる。
【０１０１】
係合部２３と係合部材２２の係合端２２ｂが係合した状態において、本体部品１９と差込部品２０の係合を解除するには、係合解除部材２４を差込部品２０の内側に向かって内押しする。
【０１０２】
係合解除部材２４を差込部品２０の内側に向かって押すことにより、係合部２３のアームは先端が差込部品２０の内側に向かって撓み、それにつれて係合部２３のフレームが差込部品２０の内側に向かって移動し、係合部材２２の逆鉤２２ｃとの係合を解除することができる。
【０１０３】
このように、本実施形態によれば、本体部品１９と差込部品２０の係合解除が、係合解除部材２４を押し込むことによって簡単に達成される。
【０１０４】
次に、長さ調整機能部材を備えた実施形態について説明する。
【０１０５】
図７は、長さ調整機能部材を備えた装身具用留め具の一実施形態の差込部品側を示し、図８は、その一部を切断した斜視図を示している。
【０１０６】
本実施形態は、図１，２の実施形態において差込部品にリングが溶着されていることに代えて、差込部品に長さ調整機能部材が固定されていること以外は、図１，２の実施形態と同じ構成を有している。
【０１０７】
図７，８において、図１，２と同一の部分には図１，２と同一の符号を付して重複する説明を省略する。
【０１０８】
本実施形態の長さ調整機能部材２４は、球形に限られない外殻部材２５と、外殻部材２５内に格納された弾性体２６とを有している。
【０１０９】
外殻部材２５は、中空部を有し、装飾チェーン２７を挿通させる貫通孔２８を有している。
【０１１０】
弾性体２６は、具体的にはたとえばシリコーンゴムを使用することができ、装飾チェーン２７を挿通させる貫通孔２９を有し、前記外殻部材２５の中空部に若干圧縮状態で収納されている。
【０１１１】
弾性体２６は、若干圧縮状態で外殻部材２５の中空部に収納されているため、装飾チェーン２７は所定の力で弾性体２６によって把持され、所定の引張力以下ならば動かず、その所定の引張力を超える引張力を与えると、ゆっくり摺動する。
【０１１２】
本実施形態の装身具用留め具によれば、装飾チェーン２７の一端に本体部品２（図示せず）を接続し、他端部を図７，８に示すように差込部品３の長さ調整機能部材２４に挿通させることにより、装飾チェーン２７に対して長さ調整機能部材２４の位置を移動させることにより、本体部品２に接続した装飾チェーン２７の端部から長さ調整機能部材２４までの装飾チェーン２７の長さが自在に変えられるようになる。
【０１１３】
本体部品２と差込部品３の着脱の容易さとあいまってきわめて便利な可変長の装飾チェーン２７を得ることができる。
【０１１４】
なお、図７，８の例と反対に、本体部品の一端部に長さ調整機能部材を固定して装飾チェーンの一端部を挿通させ、装飾チェーンの他端を差込部品の一端に接続するようにしてもよい。
【図面の簡単な説明】
【０１１５】
【図１】本発明の一実施形態による装身具用留め具の斜視図。
【図２】図１の実施形態による装身具用留め具の一部を切断して示した斜視図。
【図３】本発明の他の実施形態による装身具用留め具の一部を切断して示した斜視図。
【図４】本発明のさらに他の実施形態による装身具用留め具の一部を切断して示した斜視図。
【図５】本発明のさらに他の実施形態による装身具用留め具の縦断面図。
【図６】図５の実施形態による装身具用留め具の一部を切断して示した斜視図。
【図７】本発明の他の実施形態による装身具用留め具の斜視図。
【図８】図７の実施形態による装身具用留め具の一部を切断して示した斜視図。
【符号の説明】
【０１１６】
１  装身具用留め具
２  本体部品
２ａ  受け部
３  差込部品
３ａ  差込部
３ｂ  円環部
４  係合解除部材
５  係合部材
５ａ  バネ部
５ｂ  係合端
５ｃ  逆鉤
５ｄ  突起
６  リング
１０  本体部品
１１  差込部品
１２  装身具用留め具
１３  本体部品
１３ａ  受け部
１４  差込部品
１４ａ  差込部
１４ｂ  開口部を有する端壁
１５  係合部材
１５ａ  バネ部
１５ｂ  係合端
１５ｂ’   係合端
１５ｃ  逆鉤
１５ｃ’   逆鉤
１６  係合解除部材
１６’   係合解除部材
１８  装身具用留め具
１９  本体部品
１９ａ  受け部
２０  差込部品
２０ａ  差込部
２１  リング
２２  係合部材
２２ａ  バネ部
２２ｂ  係合端
２２ｃ  逆鉤
２３  係合部
２４  係合解除部材
【図１】
2007301236.tif 000003
【図２】
2007301236.tif 000004
【図３】
2007301236.tif 000005
【図４】
2007301236.tif 000006
【図５】
2007301236.tif 000007
【図６】
2007301236.tif 000008
【図７】
2007301236.tif 000009
【図８】
2007301236.tif 000010